(57)【要約】【課題】局運営を容易ならしめるに効果的な新たなデータ放送サービスの連携方法を実現するシステムを提供すること。【解決手段】自局のデータ放送送出設備２０１は、ＣＭの差し替えを行う直前にネットＣＭ阻止イベントメッセージを送出することで、提示中のデータ放送コンテンツに対して、他局から送られてくるネットイベントメッセージＥＳ３０４内のネットＣＭ開始イベントメッセージと、自局から送出されるローカルイベントメッセージＥＳに含まれるローカルＣＭ開始イベントメッセージのどちらを有効とするかを通知する。その後、他局から送信されるネットＣＭ開始イベントメッセージと自局から送信されるローカルＣＭ開始イベントメッセージを受信した際、他局のモジュールを提示したり、自局のモジュールを提示したり、モジュールを非表示にしたりする。【選択図】図２
2004072348.tif 000002
【特許請求の範囲】
【請求項１】
データ放送を行う、第一の放送装置と、第二の放送装置と、受信機とからなるデータ放送システムであって、
第一の放送装置は、
放送データと、放送データを表示するタイミングを知らせる表示メッセージとを含む番組コンテンツを受信機に対して放送すると共に、ネットワークを介して第二の放送装置へ配信する第一のデータ送出手段を有し、
第二の放送装置は、
前記番組コンテンツを受信する受信手段と、
受信した番組コンテンツと、前記表示メッセージに対応した表示動作を阻止することを知らせる表示阻止メッセージを含む番組コンテンツとを受信機に対して放送する第二のデータ送出手段とを備え、
受信機は、前記表示阻止メッセージを検知した後に、前記表示メッセージを検知したときには、放送データを当該表示メッセージが示すタイミングで表示する動作を阻止する機能を有する
ことを特徴とするデータ放送システム。
【請求項２】
前記第一のデータ送出手段が送出する番組コンテンツには、放送データの表示を制御するための受信機にて実行可能な表示制御プログラムであって、表示メッセージを受け付けるとそのメッセージが示すタイミングで放送データを表示させるプログラムが含まれ、前記受信機の放送データを表示する動作を阻止する機能は、当該表示制御プログラムの実行により実現される
ことを特徴とする請求項１に記載のデータ放送システム。
【請求項３】
前記表示制御プログラムは、受信機に、前記表示阻止メッセージと、前記表示メッセージとを監視させており、受信機は、前記表示阻止メッセージを検知した時から所定時間内に表示メッセージを検知した場合に、当該表示メッセージにて示すタイミングにおいて本来行うべき表示動作を行わない
ことを特徴とする請求項２に記載のデータ放送システム。
【請求項４】
前記表示制御プログラムは、受信機に、前記表示阻止メッセージと、前記表示メッセージとを監視させており、受信機は、前記表示阻止メッセージを検知した場合、検知した表示阻止メッセージと予め対応付けられた表示メッセージを検知すると、当該表示メッセージにて示すタイミングにおいて本来行うべき表示動作を行わない
ことを特徴とする請求項２に記載のデータ放送システム。
【請求項５】
前記表示制御プログラムは、受信機に、前記表示阻止メッセージと、前記表示メッセージとを監視させており、受信機は、前記表示阻止メッセージを検知した場合、その後最初に検知した表示メッセージにて示すタイミングにおいて本来行うべき表示動作を行わない
ことを特徴とする請求項２に記載のデータ放送システム。
【請求項６】
放送データと、受信機で実行可能な前記放送データの表示を制御するための表示制御プログラムと、前記放送データを表示するタイミングを知らせる表示メッセージとを含む番組コンテンツを、ネットワークを介してキー放送装置から受信するローカル放送装置であって、
受信した番組コンテンツと、前記表示メッセージに対応した表示動作を阻止することを前記表示制御プログラムに知らせる表示阻止メッセージを含む番組コンテンツとを受信機に対して放送し、
前記表示制御プログラムは、受信機において、前記表示阻止メッセージを検知した後に、前記表示メッセージを検知したときには、当該表示メッセージが示すタイミングでの放送データを受信機に表示する動作を阻止する機能を受信機に実行させる
ことを特徴とするローカル放送装置。
【請求項７】
放送データと、
受信機で実行可能な前記放送データの表示を制御するための表示制御プログラムと、前記放送データを表示するタイミングを知らせる表示メッセージと、
をネットワークを介してローカル放送装置に配信し、
前記表示制御プログラムは、
受信機において、
ローカル局から送出される前記表示メッセージに対応した表示動作を阻止することを前記表示制御プログラムに知らせる表示阻止メッセージを検知した後に、前記表示メッセージを検知したときには、
当該表示メッセージが示すタイミングでの放送データを受信機に表示する動作を阻止する機能を受信機に実行させる
ことを特徴とするキー放送装置。
【発明の詳細な説明】
【０００１】
【発明の属する技術分野】
本発明は、データ放送システムに関する。
【０００２】
【従来の技術】
近年、テレビ放送業界においてＢＳ（放送衛星放送）やＣＳ（通信衛星放送）等で既にディジタル放送が実用化されており、現在の主たる放送メディアである地上向け放送についても着々とディジタル化への準備が進んでいる。
ＢＳ・ＣＳと、地上向け放送の違いについて簡単に触れると、ＢＳ・ＣＳが人工衛星を用いてある一地点から全国一律に番組を流すのに対し、地上向け放送では、通常全国一律の番組と地方独自の番組を混在させて放送している。この混在の仕組みを実現するために、キー局と呼ばれる主幹局を中心として複数の放送局が放送ネットワークを形成することで相互に番組を供給しあう形を取り、キー局より番組を放送ネットワーク上に送出するとともに、キー局以外の局では、タイムスケジュールに応じてその局独自で作製した番組とネットワークからの番組を混在させ、自局の番組として放送する（以下、この方法をネット配信と表記する）。
【０００３】
これまで従来の動画像と音声による放送に加え、ＢＳディジタルにより新規にデータ放送サービスが開始されている。データ放送サービスにおいても、地上ディジタル放送の開始に当たっては前記ネット配信が必要となるが、その配信の方法については新たな仕組みが必要である。
従来、キー局にて作製されたデータ放送のコンテンツを、コンテンツ配信用ネットワークを介して予めその他の局に送っておき、その他の局にてそのデータ放送コンテンツを用いて放送する方法が提案されている。
【０００４】
ここで、データ放送番組のデータフォーマットには様々なものがあるが、以下では、ＡＲＩＢ（社団法人電波産業界）が標準規格に定めるディジタル放送方式をもとにした一例について、図面を参照しながら説明する。
図５は、従来のデータ放送サービスの連携方式を説明するための図である。データ放送サービスの連携サービスは、キー局である第一の放送局１０００とその他の局（各地方に所在するローカル放送局）である第二の放送局２０００との間で行われる。
【０００５】
最初に第一の放送局１０００について説明すると、データ放送制作設備１００１よりデータ放送番組コンテンツ１０５０が出力される。データ放送番組コンテンツとは、一つのデータ放送サービスの番組を作る上で必要な全てのデータ放送番組部品の集まりであり、番組内のデータの更新時間や更新内容も定義されている。データ放送送出装置１００２では、入力されたデータ放送コンテンツ１０５０をＭＰＥＧ−２トランスポートストリーム（ＴＳ）に変換し、データ放送番組ＴＳ１０５１を出力する。映像音声送出装置１００５は、ＭＰＥＧ−２トランスポートストリームに変換された映像音声番組ＴＳ１０５２を出力する。多重化装置１００３は、入力されたデータ放送番組ＴＳ１０５１と映像音声番組ＴＳ１０５２とを多重化し、テレビ番組となる番組ＴＳ１０５３を出力する。放送波送出設備１００４は、入力された番組ＴＳ１０５３を放送電波１０５４に変換する。最終的には、放送電波１０５４は、放送アンテナ１００６を通じて放送される。視聴者宅１０１０には、受信アンテナ１０１１を通じて放送電波１０５４を受信し、テレビ受信機１０１２により放送を映し出す。
【０００６】
次に、第二の放送局２０００について説明する。コンテンツ管理サーバー２０６１は、第一の放送局１０００から送られてきたデータ放送番組コンテンツを受信し、放送時刻になればデータ放送送出装置２００２に対してデータ放送番組コンテンツ２０５０を送出する。データ放送番組ＴＳ２０５１、映像音声送出設備２００５、映像音声番組ＴＳ２０５２、多重化装置２００３、番組ＴＳ２０５３、放送波送出設備２００４、放送電波２０５４、放送アンテナ２００６、視聴者宅２０１０、視聴者宅の受信アンテナ２０１１、テレビ受信機２０１２については、前記第一の放送局１０００及び前記視聴者宅のものと同様の動作を行う。
【０００７】
コンテンツ配信ネットワーク２０８１は、第一の放送局におけるデータ放送制作設備１００１にて作られたデータ放送番組コンテンツを他の放送局に対して配信するためのものであり、第一の放送局のデータ放送制作設備１００１にて作られたデータ放送番組コンテンツは第一の回線２０８２を介してコンテンツ配信ネットワーク２０８１に入り、そこから第二の回線２０８３を介して第二の放送局のコンテンツ管理サーバー２０６１に蓄積され、第二の放送局のデータ放送サービスとして送出処理が行われる。
【０００８】
タイミング配信ネットワーク２０８４は、第一の放送局におけるデータ放送送出設備１００２にて作られるイベントメッセージなどのタイミング情報を他の放送局に対して配信するものであって、第一の放送局１０００のデータ放送送出設備１００２にて作られたタイミング情報は第三の回線２０８５を介してタイミング配信ネットワーク２０８４に入り、そこから第四の回線２０８６を介して第二の放送局のデータ放送送出設備２００２に送られ、実際の放送時のタイミング通知のために使用される。
【０００９】
ここで、データ放送サービスにおける番組およびＣＭ制御の方法について簡単に説明する。
図６は各放送局から出力される番組の構成を表したものであり、左側は第一の放送局１０００から出力される番組構成、右側は第二の放送局２０００から出力される番組構成を表している。これらは図５における番組ＴＳ１０５３、２０５３とそれぞれ対応しており、図中の太線で示されているエレメンタリストリーム（以後ＥＳと表記）と呼ばれる符号化済みの映像や音声、データのパケット列により構成されている。
【００１０】
図６左の第一の放送局から放送される番組の構成（ＴＳ１０５３）において、映像ＥＳ３００１、音声ＥＳ３００２は、それぞれ映像および音声放送を伝送するＥＳである。データカルーセルＥＳ３００３、イベントメッセージＥＳ３００４は、ともにデータ放送を伝送するためのＥＳであって、データカルーセルＥＳ３００３はデータ放送サービスに使用するコンテンツを伝送するためのもの、イベントメッセージＥＳ３００４はデータ放送サービスにて使用されるコンテンツに対してきっかけ（イベント）を与えるためにイベントメッセージと呼ばれる信号を送るためのＥＳである。
【００１１】
映像ＥＳと音声ＥＳ、データカルーセルＥＳが時刻ｔ０から時刻ｔ３にかけて流れているとする。まず、イベントメッセージＥＳにて時刻ｔ０から時刻ｔ１の任意の時間にＣＭ取得イベントメッセージが１回以上送られる。このとき、データ放送のコンテンツ側にて、ＣＭ取得イベントメッセージを受信したらＡ社のＣＭデータを取得し、受信機のメモリに格納するようにしておく。そして、時刻ｔ１のタイミングでＣＭ開始イベントメッセージが送られる。このとき、データ放送のコンテンツ側にて、ＣＭ開始イベントメッセージを受信したらＡ社のＣＭを表示し、ある時間経過後表示が元に戻るようにしておく。
【００１２】
このときにおける実際のテレビ受信機側の動作を説明すると、時刻ｔ０から時刻ｔ１までは番組の映像音声とその番組に関するデータがテレビ受信機に表示される。そして時刻ｔ１のタイミングでＣＭが開始され、時刻ｔ１から時刻ｔ２まではＡ社のＣＭに関する映像とそのＣＭに関するデータが表示される。そして時刻ｔ２から時刻ｔ３までは再度番組の映像音声とその番組に関するデータが表示されることになる。
【００１３】
第二の放送局２０００においては、第一の放送局１０００からコンテンツ配信ネットワークとタイミング配信ネットワークを通じてデータ放送サービスに必要な情報を予め入手しておき、一部の内容を自局のものに変更することにより、第一の放送局と同様のデータ放送サービスを提供することができる。
【００１４】
【発明が解決しようとする課題】
前述のように、従来例では、第一の放送局と第二の放送局にて同じデータ放送を行う場合でも各放送局で別々にコンテンツ管理を行う必要があって、そのための費用は大きなものとなり、局運営にとって問題となる。
本発明はかかる問題点に鑑みてなされた発明であって、キー局からネットワークを介して他の局に対しデータ放送の連携を行うシステムにおいて、当該他の局における局運営を容易ならしめるに効果的な新たなデータ放送サービスの連携方法を実現するシステムを提供することを目的とする。
【００１５】
【課題を解決するための手段】
上記目的を達成するために、本発明は、データ放送を行う、第一の放送装置と、第二の放送装置と、受信機とからなるデータ放送システムであって、第一の放送装置は、放送データと、放送データを表示するタイミングを知らせる表示メッセージとを含む番組コンテンツを受信機に対して放送すると共に、ネットワークを介して第二の放送装置へ配信する第一のデータ送出手段を有し、第二の放送装置は、前記番組コンテンツを受信する受信手段と、受信した番組コンテンツと、前記表示メッセージに対応した表示動作を阻止することを知らせる表示阻止メッセージを含む番組コンテンツとを受信機に対して放送する第二のデータ送出手段とを備え、受信機は、前記表示阻止メッセージを検知した後に、前記表示メッセージを検知したときには、放送データを当該表示メッセージが示すタイミングで表示する動作を阻止する機能を有することを特徴とする。
【００１６】
上記構成により、受信機においてデータ放送コンテンツを解読し処理を行う際、他局がモジュールを表示する為に送信したネットコンテンツ制御用イベントメッセージを無効にしたり、また、自局がモジュールを表示する為に送信したローカルコンテンツ制御用イベントメッセージを有効にしたりすることができる。その結果、キー局からローカル局に配信されたデータ放送を一切変更することなく、ローカル局におけるネット番組のデータ放送の表示内容をローカル番組用に変更したり、あるいはデータ放送の表示自体を阻止したりすることが可能となる。このようにキー局からローカル局に配信されたデータ放送の内容を一切変更することがなく、キー局のデータ放送の表示制御が可能となるので、ローカル局における独自のデータ放送を行う場合でも局運営を容易ならしめることが可能となる。
【００１７】
【発明の実施の形態】
本発明は、ある放送局で作られたデータ放送番組ＴＳを別の放送局にネット配信し、ネット配信を受けた放送局がそのデータ放送番組ＴＳを自局から放送するシステムにおいて、自局のデータ放送送出設備から別途制御信号を送出することにより、ネット配信されたデータ放送番組ＴＳには一切変更を行う事無く視聴者から見た受信機の表示としてネットから配信されたデータ放送サービス中の任意のデータ放送モジュールの表示を任意のタイミングで非表示とし、加えて別途自局のデータ放送送出設備から出力したデータ放送番組ＴＳ内のモジュールを表示させることで、ＣＭ差し替えなどの効果を得ることを可能とするシステムである。
【００１８】
以下、実施の形態について説明する。
図１は、本発明のデータ放送システムにおける実施形態の基本構成を説明するための図である。
図１において、１００は第一の放送局の放送設備全体を表しており、その構成要素およびその機能については従来例の該当するものと同様であるためここではその説明を省略する。
【００１９】
次に第二の放送局２００について説明すると、データ放送制作設備２０１は、データ放送番組コンテンツ２５０を出力する。データ放送送出設備２０２では、入力されたデータ放送コンテンツ２５０をＭＰＥＧ−２トランスポートストリームに変換し、データ放送番組ＴＳ２５１を出力する。映像音声送出設備２０５は、ＭＰＥＧ−２トランスポートストリームに変換された映像音声番組ＴＳ２５２を出力する。多重化装置２０３は、第一の放送局内のデータ放送送出設備１０２から出力されネットワーク回線１５６を通じて送られた第一の放送局のデータ放送番組ＴＳ１５１と、第二の放送局のデータ放送送出設備２０２より出力された第二の放送局のデータ放送番組ＴＳ２５１、および映像音声番組ＴＳ２５２を多重化し、テレビ番組となる番組ＴＳ２５３を出力する。放送波送出設備２０４は、入力された番組ＴＳ２５３を放送電波２５４に変換する。最終的に、放送電波２５４は放送アンテナ２０６を通じて放送される。視聴者宅２１０では、視聴者宅の受信アンテナ２１１を通じて放送電波２５４を受信し、テレビ受信機２１２により放送を映し出す。
【００２０】
ここで、本発明の実施形態におけるデータ放送について説明する。図２は本発明の実施形態における各放送局から出力される番組の構成を表したものであり、左側は第一の放送局から出力される番組構成、右側は第二の放送局から出力される番組構成を表している。第一の放送局から出力される番組構成については従来例の該当するものと同様であるためここではその詳しい説明を省略するが、ネットデータカルーセルＥＳ３０３には、データ放送番組の番組本編情報およびＣＭモジュール（受信機にてテロップ状に表示される文字、画像などのデータモジュールである）が含まれており、番組本編情報およびＣＭモジュールは全国の視聴者が視聴することを想定している。本例では、第一の放送局のデータ放送を受信する受信機は、データ放送番組の本編情報およびＣＭとも全国放送用のデータ放送サービスを提示する。
【００２１】
図２において、右側は第二の放送局から出力される番組構成を表しているが、これは図１における番組ＴＳ２５３と対応し、図中の太線で示されているＥＳと呼ばれる符号化済みの映像や音声、データのパケット列により構成されている。第二の放送局から放送される番組の構成（ＴＳ２５３）において、映像ＥＳ４０１、音声ＥＳ４０２は、それぞれ映像および音声放送を伝送するＥＳである。なお、本例において映像音声は第二の放送局の映像音声送出設備から出力されたものを使用することとするが、第一の放送局からネット回線を通じて送られてきたものを使用してもよい。ネットデータカルーセルＥＳ３０３、ネットイベントメッセージＥＳ３０４これら二つはデータ放送を伝送するためのＥＳであって、データ放送番組の本編情報およびＣＭモジュール並びに各種イベントメッセージを含んでいる。これらは全国放送用としてネット回線を通じて第一の放送局からのデータ放送番組ＴＳ１５１として送られてきたものであって、第一の放送局のデータ放送内容と同一のモジュールおよびイベントメッセージで構成されている。
【００２２】
また、ローカルデータカルーセルＥＳ５０１、ローカルイベントメッセージＥＳ５０２これら二つはデータ放送を伝送するためのＥＳであって、第二の放送局のデータ送出設備より出力された第二の放送局のデータ放送番組ＴＳ２５１を構成する構成要素である。
ローカルデータカルーセルＥＳ５０１には、第二の放送局用のＣＭモジュールが含まれている。第二の放送局用のＣＭモジュールとは、番組のデータ放送ＣＭコンテンツを構成する１部品であり、第二の放送局の放送を直接受信する視聴者のみが視聴することを想定していて、第一の放送局用番組本編及びＣＭデータのＥＳと内容は同じでなくてもよい。
【００２３】
ローカルイベントメッセージＥＳ５０２には、図２及び図３（ローカルイベントメッセージに含まれ各イベントメッセージの送信される時間関係を示す図である。）のようにネットＣＭ阻止イベントメッセージと第二の放送局用データ提示制御のきっかけとなるローカルＣＭ取得イベントメッセージおよびローカルＣＭ開始イベントメッセージを含めている。ネットＣＭ阻止イベントメッセージとは、ネットイベントメッセージＥＳ３０４（全国用）とローカルイベントメッセージＥＳ５０２（第二の放送局用）とで送出されているネットＣＭ開始イベントメッセージとローカルＣＭ開始イベントメッセージのどちらを有効にするかを受信機に知らせるためのトリガ情報であり、図３に示すように前述の各ＣＭ開始イベントメッセージが送出される前に送出される。
【００２４】
ネットデータカルーセルＥＳ３０３とネットイベントメッセージＥＳ３０４、ローカルデータカルーセルＥＳ５０１とローカルイベントメッセージＥＳ５０２にて構成されるデータ放送コンテンツは、受信機に対して以下のような動作を行わせるようにＡＲＩＢ規格に準じてスクリプト言語（例えば、ＢＭＬ）にて関数定義等する記述としておく。その記述の概略について説明すると、メッセージは、固有の識別子（ＩＤ）と、その動作指示内容を定義した定義情報とからなる。また、ネットデータカルーセルには所定のメッセージを受け取った場合に行う表示制御プログラムを含めており、このプログラムは、各メッセージ（ＭＳＧ）を受け取ると実行する制御（以下では、ＣＭモジュールのメモリへの格納及びその表示）を各メッセージと対応付けて関数（ｆ（ＭＳＧ））として定義される。
【００２５】
図３において、表示制御プログラムと、各イベントとの送信時間帯を説明すると、各イベントメッセージにはメッセージＩＤが割り当てられ、ＣＭモジュールの表示制御を実行する表示制御プログラムは、ネットデータカルーセルのコンテンツの一つとして、ネットＣＭ阻止イベントメッセージの送信前若しくは同期して送信される。表示制御プログラムは、受信機に、各イベントメッセージの送信を図中矢印にて示すように監視させており、取得したイベントのＩＤに対応して定義付けられた関数を実行することによって、以下のような動作を行う。
【００２６】
図４は、受信機における動作を説明するフローチャートである。
この図に示すように、受信機にてネットデータカルーセルＥＳ３０３を受信する（ステップＳ１でＹ）と、そのＥＳ３０３に含まれる番組データコンテンツの記述に従ってネットイベントメッセージＥＳ３０４とローカルイベントメッセージＥＳ５０２の双方を常に監視する（ステップＳ２）。そしてネットイベントメッセージＥＳ３０４にて、ネットＣＭ取得イベントメッセージが送られて来ると（ステップＳ３でＹ）、ネットデータカルーセルＥＳ３０３内のコンテンツに記述されているネットＣＭ用プログラムが実行され、ネットデータカルーセルＥＳ３０３内のＣＭモジュールが受信機のメモリに格納される（ステップＳ４）。その後、ネットＣＭ開始イベントメッセージが送られて来ると（ステップＳ５でＹ）、ネットＣＭ阻止イベントメッセージが送られてない場合には（ステップＳ７でＮ）、ネットデータカルーセルＥＳ３０３内のコンテンツに記述されているネットＣＭ用プログラムが実行され、ネットデータカルーセルＥＳ３０３のＣＭモジュールの内容が画面に表示される（ステップＳ６；本例では図２左のＡ社のＣＭ）。
【００２７】
ここで、ローカルイベントメッセージＥＳ５０２においてネットＣＭ阻止イベントメッセージがネットＣＭ開始イベントメッセージ送出以前のある期間において送られてきた場合（ステップＳ７でＹ）、受信機が、ネットデータカルーセルＥＳ中のコンテンツの記述によりネットＣＭ開始イベントメッセージに対応した全国用ＣＭデータを表示する動作を行わないようにしておく。このような手法としては、当該ネットＣＭ開始イベントメッセージを無効としこれが送られる場合に無視するような設定とする手法が挙げられる。例えば、スクリプト言語により表示制御プログラムを記述するとすると、ネットＣＭ開始イベントメッセージを受信した場合に実行する関数をｆ（ネットＣＭ開始イベントメッセージ）とすると、ネットＣＭ阻止イベントメッセージを受信した場合には、ｆ（ネットＣＭ開始イベントメッセージ）を実行しない関数（別な表示処理を実行する関数置換する関数など）として、ｆ‘（ネットＣＭ阻止イベントメッセージ）を定義することができる。この結果、上記ステップＳ６におけるネットＣＭモジュールを表示する動作は行われない。
【００２８】
そして、このネットＣＭモジュール非表示の動作に代替して以下の動作が行われる。ローカルイベントメッセージＥＳ５０２にて、ローカルＣＭ取得イベントメッセージが送られて来ると（ステップＳ８でＹ）、ネットデータカルーセルＥＳ３０３内のコンテンツに記述されているローカルＣＭ用プログラムが実行され、ローカルデータカルーセルＥＳ５０１内のＣＭモジュールが受信機のメモリに格納される（ステップＳ９）。その後、ローカルイベントメッセージＥＳ５０２にてローカルＣＭ開始イベントメッセージが送られて来ると（ステップＳ１０でＹ９）、受信機ではネットデータカルーセルＥＳ３０３内のコンテンツに記述されているローカルＣＭ用プログラムが実行され、ローカルデータカルーセルＥＳ５０１のＣＭモジュールの内容が画面に表示される（ステップＳ１１；本例では図２右のＢ社のＣＭ）。このようなネットＣＭ阻止イベントメッセージを受信した場合に代替してローカルＣＭモジュールを表示させる動作制御プログラムは、前記ｆ（ネットＣＭ開始イベントメッセージ）を実行しない関数として定義した前記ｆ‘（ネットＣＭ阻止イベントメッセージ）を上記のようにローカルＣＭ取得イベントメッセージを受信した場合のローカルＣＭモジュールのメモリ格納、ローカルＣＭ開始イベントメッセージを受信した場合の表示動作を行う関数として定義することができる。
【００２９】
結果として、図２右のように、第二の放送局から放送される番組を視聴している受信機では、ネットからＡ社のＣＭデータが流れてきているにもかかわらず、第二の放送局独自で送出したＢ社のＣＭデータが映し出され、ＣＭデータの差し替えが行われたことになる。
次に、ローカルイベントメッセージＥＳ５０２においてネットＣＭ阻止イベントメッセージがネットＣＭ開始イベントメッセージ送出以前のある期間において送られてきた場合、複数送られるネットＣＭ開始イベントメッセージのなかでどのイベントメッセージに対応した全国用ＣＭモジュールを表示する動作を行わないようにするかについて説明する。幾つかの方法が考えられるが、代表的な例と次の方法が挙げられる。
【００３０】
まず、一定の期間内にネットＣＭ阻止イベントメッセージを最初に検知した時から次のＣＭ放送が開始されるまでの所定時間（例えば、３秒）内に検知したネットＣＭ開始イベントメッセージに対応した動作を実行しないようにする方法が挙げられる。
次に、ネットＣＭ阻止メッセージとネットＣＭ開始イベントメッセージとを１対１若しくは１対複数個とそのメッセージが有する固有のＩＤによって対応付けておき、対応するネットＣＭ開始イベントメッセージに対応した動作を実行しないようにする方法が挙げられる。
【００３１】
更に、ネットＣＭ阻止イベントメッセージを検知した時から次のＣＭ放送が開始されるまでの所定時間内に最初に検知したネットＣＭ開始イベントメッセージに対応した動作を実行しないようにする方法が挙げられる。
なお、これらの何れの場合にも、視聴者が視聴を開始する時間が視聴者毎にまちまちであることを考慮して、ネットＣＭ阻止イベントメッセージは図２、図３のように連続的に送ることが望ましい。
【００３２】
＜その他＞
本発明は、上記内容に限られるものではなく、次のような変形例も考えられる。
（１）ローカルデータカルーセルＥＳ５０１のローカルＣＭ取得イベントメッセージとローカルＣＭ開始イベントメッセージは送出せずに、ネットＣＭ阻止イベントメッセージのみを送出してもよい。その場合、ＣＭモジュールは表示されず、映像音声のみが表示される。
【００３３】
（２）ネットＣＭ取得イベントメッセージ、ネットＣＭ開始イベントメッセージ、ローカルＣＭ取得イベントメッセージ、ローカルＣＭ開始イベントメッセージ、ネットＣＭ阻止イベントメッセージの送出はそれぞれ別個のＥＳに分けて送出してもよい。
（３）ローカルＣＭ取得イベントメッセージとネットＣＭ阻止イベントメッセージについてはその送出タイミングをあわせることも可能であって、どちらか一つで同様の効果を得ることもできる。
【００３４】
（４）上記例ではＣＭデータを例にとってその差し替えについて説明してきたが、これは番組本編情報であってもよい。
（５）第二の放送局用のデータであるローカルデータカルーセルＥＳ５０１、ローカルイベントメッセージＥＳ５０２は本例では第二の放送局で生成したものを第二の放送局が放送する形で説明したが、第一の放送局で生成したものをネット配信して第二の放送局で放送してもよい。
【００３５】
（６）ネットＣＭ阻止イベントメッセージを受信した場合に、ネットＣＭモジュールの表示処理を行わないようにするプログラムは、この動作が実行されるものであれば、どのようなプログラムであっても構わない。
（７）ローカルデータカルーセル及びローカルネットカルーセルは、ローカル局である第二の放送局が作製して放送するようにしても良いし、キー局である第一の放送局が作製したものをそのまま専用回線を介して第２の放送局に配信し、それを放送するようにしても良い。
【００３６】
【発明の効果】
以上のように、本発明は、データ放送を行う、第一の放送装置と、第二の放送装置と、受信機とからなるデータ放送システムであって、第一の放送装置は、放送データと、放送データを表示するタイミングを知らせる表示メッセージとを含む番組コンテンツを受信機に対して放送すると共に、ネットワークを介して第二の放送装置へ配信する第一のデータ送出手段を有し、第二の放送装置は、前記番組コンテンツを受信する受信手段と、受信した番組コンテンツと、前記表示メッセージに対応した表示動作を阻止することを知らせる表示阻止メッセージを含む番組コンテンツとを受信機に対して放送する第二のデータ送出手段とを備え、
受信機は、前記表示阻止メッセージを検知した後に、前記表示メッセージを検知したときには、放送データを当該表示メッセージが示すタイミングで表示する動作を阻止する機能を有することを特徴とする。
【００３７】
上記構成により、受信機においてデータ放送コンテンツを解読し処理を行う際、他局がモジュールを表示する為に送信したネットコンテンツ制御用イベントメッセージを無効にしたり、また、自局がモジュールを表示する為に送信したローカルコンテンツ制御用イベントメッセージを有効にしたりすることができる。その結果、キー局からローカル局に配信されたデータ放送を一切変更することなく、ローカル局におけるネット番組のデータ放送の表示内容をローカル番組用に変更したり、あるいはデータ放送の表示自体を阻止したりすることが可能となる。このようにキー局からローカル局に配信されたデータ放送を一切変更することがなく、キー局のデータ放送の表示制御が可能となるので、ローカル局における独自のデータ放送を行う場合でも局運営を容易ならしめることが可能となる
また、差し替え用の装置を必要としないため、機材を減らすことによるコストメリットも期待できる。
【図面の簡単な説明】
【図１】本発明の実施の形態におけるシステム構成を示すブロック図。
【図２】本発明の実施の形態における放送局の番組の構成を示す図。
【図３】各イベントメッセージの送信される時間関係を示す図。
【図４】受信機における動作を説明するフローチャート。
【図５】従来例のシステム構成を示すブロック図。
【図６】従来例における放送局の番組の構成を示す図。
【符号の説明】
１００　第一の放送局
１０１　データ放送制作設備
１０２　データ放送送出設備
１０３　多重化装置
１０４　放送波送出設備
１０５　映像音声送出設備
１０６　放送アンテナ
１１０　視聴者宅
１１１　受信アンテナ
１１２　テレビ受信機
１５０　データ放送番組コンテンツ
１５１　データ放送番組ＴＳ
１５２　映像音声番組ＴＳ
１５３　番組ＴＳ
１５４　放送電波
１５６　ネットワーク回線
２００　第二の放送局
２０１　データ放送制作設備
２０２　データ放送送出設備
２０３　多重化装置
２０４　放送波送出設備
２０５　映像音声送出設備
２０６　放送アンテナ
２１０　視聴者宅
２１１　受信アンテナ
２１２　テレビ受信機
２５０　データ放送番組コンテンツ
２５１　データ放送番組ＴＳ
２５２　映像音声番組ＴＳ
２５３　番組ＴＳ
２５４　放送電波
３０１　映像ＥＳ
３０２　音声ＥＳ
３０３　データカルーセルＥＳ
３０４　イベントメッセージＥＳ
４０１　映像ＥＳ
４０２　音声ＥＳ
５０１　ローカルデータカルーセルＥＳ
５０２　ローカルイベントメッセージＥＳ
【図１】
2004072348.tif 000003
【図２】
2004072348.tif 000004
【図３】
2004072348.tif 000005
【図４】
2004072348.tif 000006
【図５】
2004072348.tif 000007
【図６】
2004072348.tif 000008